(57)【要約】【課題】読取原稿を拡大・分割し分割画像を形成し、当該各分割画像の印刷物が判別可能な拡大連写機能を有する画像形成方法及び、画像形成装置を提供する。【解決手段】原稿画像を複数に分割・拡大して分割拡大画像を生成し、この生成された分割拡大画像を記録媒体に個別的に記録することにより拡大連写を行う場合、各記録媒体に分割拡大画像の原稿画像における位置を示す位置情報を印刷する。【選択図】図１
2005223676.tif 000002
【特許請求の範囲】
【請求項１】
原稿画像を複数に分割して各分割画像の拡大画像を生成し、この生成された分割拡大画像を記録媒体に個別的に記録することにより拡大連写を行う画像形成方法において、
前記各記録媒体に、当該分割拡大画像の前記原稿画像における位置を示す位置情報を記憶することを特徴とする画像形成方法。
【請求項２】
前記位置情報は前記原稿画像の画像情報内に存在することを特徴とする請求項１に記載の画像形成方法。
【請求項３】
前記位置情報は前記原稿画像の画像情報とは別に生成されることを特徴とする請求項１に記載の画像形成方法。
【請求項４】
前記分割拡大画像が前記記録媒体上に余白を有して記録される場合に、前記位置情報を前記余白に記録することを特徴とする請求項１〜３の何れか一項に記載の画像形成方法。
【請求項５】
原稿画像を複数に分割して各分割画像の拡大画像を生成し、この生成された拡大画像を記録媒体に個別的に記録することにより拡大連写を行う画像形成装置において、
前記原稿画像の分割数を記憶する記憶手段と、
前記記憶手段に記憶された原稿画像の分割数に基づいて、前記分割拡大画像の前記原稿画像における位置を示す位置情報を決定する位置情報決定手段と、
前記決定された位置情報に基づいて前記各記録媒体に前記位置情報を記録させる制御手段と、
を有することを特徴とする画像形成装置。
【請求項６】
前記位置情報は前記原稿画像の画像情報内に存在することを特徴とする請求項５に記載の画像形成装置。
【請求項７】
前記位置情報は前記原稿画像の画像情報とは別に生成されることを特徴とする請求項５に記載の画像形成装置。
【請求項８】
前記分割拡大画像が前記記録媒体上に余白を有して記録される場合に、前記位置情報を前記余白に記録することを特徴とする請求項５〜７の何れか一項に記載の画像形成装置。
【請求項９】
原稿画像を複数に分割して各分割画像の拡大画像を複数のグループに分けて生成し、生成された拡大画像を記録媒体に個別的に記録することによりグループ単位で拡大連写を行う画像形成装置において、
前記原稿画像の分割数を記憶する記憶手段と、
前記記憶手段に記憶された原稿画像の分割数に基づいて、前記分割拡大画像の前記原稿画像における位置を示す位置情報を決定する位置情報決定手段と、
前記位置情報を記録した記録媒体を前記各分割拡大画像の前記グループの先頭又は、後端に挿入する制御手段と、
を有することを特徴とする画像形成装置。
【請求項１０】
前記位置情報は前記原稿画像の画像情報内に存在することを特徴とする請求項９に記載の画像形成装置。
【請求項１１】
前記位置情報は前記原稿画像の画像情報とは別に生成されることを特徴とする請求項９に記載の画像形成装置。
【請求項１２】
前記分割拡大画像が前記記録媒体上に余白を有して記録される場合に、前記位置情報を前記余白に記録することを特徴とする請求項９〜１１の何れか一項に記載の画像形成装置。
【発明の詳細な説明】
【技術分野】
【０００１】
本発明は、原稿を複数の記録媒体に分割して拡大連写画像を形成する画像形成方法及び画像形成装置に関する。
【背景技術】
【０００２】
原稿から読み取った画像を拡大し、その拡大した画像を複数に分割し、各分割画像を転写紙等の記録媒体へ各々印刷出力する拡大連写機能を有する画像形成装置が存在する。この拡大連写機能を用いることにより、各分割拡大画像を記録媒体に印刷出力し、出力された各記録媒体を貼り合わせ、一枚の大きな印刷物を作成することが可能である。
【０００３】
画像が分割される位置を特定するため、原稿台に配置されたＬＥＤ（Light Emitting Diode）を点灯させることにより読取原稿の分割エリアが表示される装置（特許文献１、４参照。）や、読み取り原稿の分割領域が指定可能な装置（特許文献３参照。）が提案されている。
原稿が横置きや縦置きといった原稿の向きによらず記録媒体の枚数が最小となるよう自動的に記録媒体のサイズ、向きを指定して印刷出力する装置（特許文献２参照。）や、分割画像が印刷物全体のどの部分に位置するか特定を容易にするため、裏面にページ情報や、ミラーリングした画像を印刷する装置（特許文献５参照。）等が提案されている。
【特許文献１】特許平３−１６８２６号公報
【特許文献２】特開平４−２６０２７３号公報
【特許文献３】特開平７−３８７３３号公報
【特許文献４】特許平３−７５１１５号公報
【特許文献５】特開平１１−０６９１３９号公報
【発明の開示】
【発明が解決しようとする課題】
【０００４】
拡大連写機能を用いて画像を分割・拡大し、各分割拡大画像を記録媒体に複写し大量に印刷する場合や、類似した分割拡大画像が複数存在した場合、各分割拡大画像の印刷物が印刷物全体のどの部分に位置するのか判別が困難となり、貼り合せの作業効率が低下してしまう。
また、各分割拡大画像の位置を特定するため、裏面にページ情報やミラーリングした画像を印刷する場合、片面印刷と比較して印刷速度が低下し、生産性が低下する。また、ミラーリング画像の裏面印刷を行うとトナー等の資材をより多く使用することとなり、印刷コストが増える。
【０００５】
本発明の課題は、拡大連写された複数の印刷用紙の貼合せを容易に行い得る画像形成方法及び装置を提供することである。
【課題を解決するための手段】
【０００６】
請求項１に記載の発明は、
原稿画像を複数に分割して各分割画像の拡大画像を生成し、この生成された分割拡大画像を記録媒体に個別的に記録することにより拡大連写を行う画像形成方法において、
前記各記録媒体に、当該分割拡大画像の前記原稿画像における位置を示す位置情報を記憶することを特徴とする画像形成方法である。
【０００７】
請求項２に記載の発明は、
前記位置情報は前記原稿画像の画像情報内に存在することを特徴とする請求項１に記載の画像形成方法である。
【０００８】
請求項３に記載の発明は、
前記位置情報は前記原稿画像の画像情報とは別に生成されることを特徴とする請求項１に記載の画像形成方法である。
【０００９】
請求項４に記載の発明は、
前記分割拡大画像が前記記録媒体上に余白を有して記録される場合に、前記位置情報を前記余白に記録することを特徴とする請求項１〜３の何れか一項に記載の画像形成方法である。
【００１０】
請求項５に記載の発明は、
原稿画像を複数に分割して各分割画像の拡大画像を生成し、この生成された拡大画像を記録媒体に個別的に記録することにより拡大連写を行う画像形成装置において、
前記原稿画像の分割数を記憶する記憶手段と、
前記記憶手段に記憶された原稿画像の分割数に基づいて、前記分割拡大画像の前記原稿画像における位置を示す位置情報を決定する位置情報決定手段と、
前記決定された位置情報に基づいて前記各記録媒体に前記位置情報を記録させる制御手段と、
を有することを特徴とする画像形成装置である。
【００１１】
請求項６に記載の発明は、
前記位置情報は前記原稿画像の画像情報内に存在することを特徴とする請求項５に記載の画像形成装置である。
【００１２】
請求項７に記載の発明は、
前記位置情報は前記原稿画像の画像情報とは別に生成されることを特徴とする請求項５に記載の画像形成装置である。
【００１３】
請求項８に記載の発明は、
前記分割拡大画像が前記記録媒体上に余白を有して記録される場合に、前記位置情報を前記余白に記録することを特徴とする請求項５〜７の何れか一項に記載の画像形成装置。
【００１４】
請求項９に記載の発明は、
原稿画像を複数に分割して各分割画像の拡大画像を生成し、この生成された拡大画像を記録媒体に個別的に記録することにより拡大連写を行う画像形成装置において、
前記原稿画像の分割数を記憶する記憶手段と、
前記記憶手段に記憶された原稿画像の分割数に基づいて、前記分割拡大画像の前記原稿画像における位置を示す位置情報を決定する位置情報決定手段と、
前記位置情報を記録した記録媒体を前記各分割拡大画像のグループの先頭又は、後端に挿入する制御手段と、
を有することを特徴とする画像形成装置である。
【００１５】
請求項１０に記載の発明は、
前記位置情報は前記原稿画像の画像情報内に存在することを特徴とする請求項９に記載の画像形成装置である。
【００１６】
請求項１１に記載の発明は、
前記位置情報は前記原稿画像の画像情報とは別に生成されることを特徴とする請求項９に記載の画像形成装置である。
【００１７】
請求項１２に記載の発明は、
前記分割拡大画像が前記記録媒体上に余白を有して記録される場合に、前記位置情報を前記余白に記録することを特徴とする請求項９〜１１の何れか一項に記載の画像形成装置である。
【発明の効果】
【００１８】
請求項１又は、５に記載の発明によれば、
原稿画像を複数に分割して各分割画像の拡大画像を生成し、この生成された分割拡大画像及び、当該分割拡大画像の前記原稿画像における位置を示す位置情報を記録媒体に個別的に記録することにより、各記録媒体を判別可能となる。
【００１９】
請求項２又は、６に記載の発明によれば、
請求項１又は、５に記載の発明と同等の効果を得られると共に、位置情報が原稿画像の画像情報内に存在するため、位置情報と原稿画像とを一元管理することが可能となる。
【００２０】
請求項３又は、７に記載の発明によれば、
請求項１又は、５に記載の発明と同等の効果を得られると共に、位置情報は原稿画像の画像情報とは別に生成されるため、位置情報と原稿画像とを別々に管理することが可能となる。
【００２１】
請求項４又は、８に記載の発明によれば、請求項１〜３、４〜７の何れか一項に記載の発明と同等の効果が得られると共に、分割拡大画像が記録媒体上に余白を有して記録される場合に、位置情報を余白に記録するため、各記録媒体を貼合せて１つの大きな印刷物を作成する貼合せ作業が容易となる。
【００２２】
請求項９に記載の発明によれば、位置情報を記録した記録媒体を各分割拡大画像の記録した記録媒体のグループの先頭又は、後端に挿入することにより、各分割拡大画像を記録した記録媒体の判別が可能となる。
【００２３】
請求項１０に記載の発明によれば、請求項９に記載の発明と同等の効果が得られると共に、位置情報が原稿画像の画像情報内に存在するため、位置情報と原稿画像とを一元管理することが可能となる。
【００２４】
請求項１１に記載の発明によれば、請求項９に記載の発明と同等の効果が得られると共に、位置情報は原稿画像の画像情報とは別に生成されるため、位置情報と原稿画像とを別々に管理することが可能となる。
【００２５】
請求項１２に記載の発明によれば、請求項９〜１１の何れか一項に記載の発明と同等の効果が得られると共に、分割拡大画像が記録媒体上に余白を有して記録される場合に、位置情報を余白に記録するため、各記録媒体を貼合せて１つの大きな印刷物を作成する貼合せ作業が容易となる。
【発明を実施するための最良の形態】
【００２６】
以下、図面を参照して本発明の実施の形態を詳細に説明する。
【００２７】
［第１の実施の形態］
第１の実施の形態では、拡大連写機能を用いて、読取装置から読み取った原稿画像を分割・拡大して分割拡大画像を生成し、生成された各分割拡大画像を印刷する際に、各分割拡大画像を印刷した記録媒体が全記録媒体のどの部分に位置するものなのかを明確にし得る、画像形成装置の例を説明する。
【００２８】
まず、図１を参照して画像形成装置１の構成を説明する。
【００２９】
画像形成装置１は、スキャナ部１０と、操作部２０と、画像制御部３０と、プリンタ部４０と、通信部５０とを備え、通信ネットワークＮに接続されている。
【００３０】
スキャナ部１０は、ＣＣＤ（Charge Coupled Device）１１と、スキャナ制御部１２とを備え、透明なコンタクトガラス（図示略）の下部にＣＣＤ１１や光源が配置される。コンタクトガラスに載置された読み取り原稿に光源から光を照射し、ＣＣＤ１１により画像を読み取る。具体的には原稿を光源からの照明により走査し、画像を読取処理部３２へ出力する。
【００３１】
操作部２０は、表示入力部２１と、入力制御部２２と、その他図示しない操作キー群とを備える。
【００３２】
表示入力部２１は、タッチパネル（図示略）から入力される操作指示に従って、画面上に各種操作ボタンや画面の状態表示、各機能の動作状況等の表示を行う。表示入力部２１の表示画面はＬＣＤ等で構成され、その上面のタッチパネルは透明なシートパネルにより覆われており、指、又は専用のライトペンで触れることにより、拡大倍率、出力される印刷物のサイズが入力情報として入力される。そして、入力された入力情報を入力制御部２２へ出力する。
【００３３】
入力制御部２２は、制御部３１からの表示信号を受信して、表示入力部２１を表示制御する。そして、タッチパネルから入力される入力情報を制御部３１へ出力する。制御部３１とはシリアルバスＳにより接続されている。
【００３４】
制御手段としての画像制御部３０は、制御部３１、読取処理部３２、圧縮ＩＣ（Integrated Circuit）３３、伸張ＩＣ３４、書込処理部３５、不揮発メモリ３６、画像メモリ３７を備える。
【００３５】
位置情報決定手段としての制御部３１は、不揮発メモリ３６等に格納される各種プログラムにより、画像形成装置１を構成する各部を統括的に制御する。また、制御部３１は、不揮発メモリ３６に格納される拡大連写処理に従って、位置情報メモリ３７ｂへ分割・拡大した画像の位置情報を格納する。さらに、制御部３１は、位置情報メモリ３７ｂに格納された位置情報と、分割・拡大画像とを用いて画像形成を行うよう書込処理部３５へ制御指令を送信する。
【００３６】
制御部３１は、通信制御部５１とバスＢにより接続されており、通信部５０と制御部３１の制御を行う。また制御部３１は、スキャナ制御部１２、入力制御部２２、プリンタ制御部４２とシリアルバスＳを介して接続されており、各機器の制御信号を送信する。
【００３７】
読取処理部３２は、ＣＣＤ１１から画像情報を受信し、受信した画像情報を圧縮ＩＣ３３へ出力する。圧縮ＩＣ９４は、制御部３１からの制御信号に応じて画像を圧縮し、圧縮した圧縮画像を制御部３１に出力する。
【００３８】
伸張ＩＣ３４は、入力される圧縮画像に伸張処理を施し、書込処理部３５へ出力する。
【００３９】
書込処理部３５は、伸張ＩＣ３４により伸張された印刷対象となる画像に基づき、画像形成のための印刷情報を作成し、プリンタ部４０へ出力する。
【００４０】
不揮発メモリ３６は、画像形成装置１に係る各種設定情報、プログラムを格納する。
【００４１】
画像メモリ３７は、圧縮画像メモリ３７ａと、位置情報メモリ３７ｂと、ページメモリ３７ｃとを備える。
画像メモリ３７は、ＤＲＡＭ（Dynamic Random Access Memory）等により構成される。制御部３１の制御により、圧縮ＩＣ３３で圧縮された画像などの圧縮情報を格納する及び伸張ＩＣ３４により伸張された１ページ分の画像情報が格納される。
【００４２】
圧縮画像メモリ３７ａは、圧縮ＩＣ３３で圧縮された圧縮画像などの圧縮情報を格納する。
【００４３】
記憶手段としての位置情報メモリ３７ｂは、拡大連写設定された原稿の分割拡大画像の位置を位置情報として格納する。
【００４４】
ページメモリ３７ｃは、記録媒体に印字するためのページ情報を格納する。
【００４５】
プリンタ部４０は、画像形成部４１と、プリント制御部４２とを備える。
【００４６】
画像形成部４１は、図示しない露光部、感光ドラム、現像部、定着器等を備えて構成される。書き込み処理部３５により入力された印刷情報に基づき、プリンタ制御部４５は画像形成部４１を駆動制御して、記録媒体に画像を形成させる。また、プリント制御部４２は、制御部３１とシリアルバスＳにより接続され、制御信号を受信する。
【００４７】
通信部５０は、通信制御部５１と、画像メモリ５２と、インターフェース（以下ではＩ／Ｆと表す。）５３とを備える。
【００４８】
通信制御部５１は、通信部５０の各部を制御し、通信ネットワークＮに接続された端末ＰＣ等の外部機器とＩ／Ｆ５３を介してデータの送受信を行う。
また、通信制御部５１は、画像制御部３０内の制御部３１とバスＢにより接続されており、通信部５０と画像制御部３０とのデータの入出力の制御を行う。
【００４９】
画像メモリ５２は、ＤＲＡＭ等により構成され、通信制御部５１により、通信ネットワークＮを介して外部機器から受信した画像を格納し、また、バスＢを通じて画像制御部３０から出力された画像を一時的に格納する。
【００５０】
Ｉ／Ｆ５３は、ＮＩＣ（Network Interface Card）、やモデム等、ＬＡＮ（Local Area Network）と接続するための通信インターフェースであり、端末ＰＣからＬＡＮを介して印刷対象となる印刷情報を受信する。受信した印刷情報は、制御部３１へ出力する。
【００５１】
次に、画像形成装置１の動作について説明する。
【００５２】
図２を参照して、画像形成装置１における拡大連写の動作を説明する。
原稿台に原稿をセットし、操作者が表示入力部２１上のタッチパネル内に表示される拡大連写設定メニューを選択することにより、拡大連写機能を使用するか否かが選択される(ステップＳ１)。
【００５３】
拡大連写機能が選択された場合(ステップＳ１；ＹＥＳ)、更に印刷物の拡大率、用紙サイズを設定する(ステップＳ２)。
【００５４】
原稿画像の大きさと、設定された記録媒体の拡大率及び用紙サイズとに基づいて、拡大連写される、分割拡大画像の分割数が決定される（ステップS３）。
【００５５】
以下、本実施の形態では、図３を参照して、原稿画像１００と、分割拡大画像１０１ａ〜１０１ｉとのサイズが等しく、読取原稿１００の拡大率を３００％と設定し、読取原稿を９分割した分割拡大画像１０１ａ〜１０１ｉについて説明する。
【００５６】
分割された分割数に基づいて、各分割拡大画像１０１ａ〜１０１ｉの位置情報が決定される(ステップＳ４)。
【００５７】
図４を参照して、位置情報の設定について説明する。
分割拡大画像１０１ａ〜１０１ｉに対して、それぞれ行番号、列番号を付与することにより、個々の分割拡大画像１０１ａ〜１０１ｉに対して異なる位置情報の付与が可能となる。
【００５８】
分割された画像を貼り合せて１つの大きな印刷物とする場合、分割されて出力される各分割拡大画像１０１ａ〜１０１ｉを貼り合せる糊代として、余白が必要となる。そこで、貼り合わせに必要となる余白の有無を設定する(ステップＳ５)。
【００５９】
余白設定が有る場合(ステップＳ５；ＹＥＳ)、各分割拡大画像１０１ａ〜１０１ｉは余白領域を考慮のうえ記録媒体より小さいサイズの設定とし、余白を付与し画像を合成する(ステップＳ６)。
【００６０】
位置情報を印刷するか否かを設定する(ステップＳ７)。
【００６１】
位置情報を印刷する場合(ステップＳ７；ＹＥＳ)、各分割拡大画像の余白に位置情報を印字し、印刷用画像を作成する(ステップＳ８)。
【００６２】
図５を参照して、余白を挿入した余白付分割拡大画像１０２ａ〜１０２ｉに対する余白の設定を説明する。
余白の挿入位置は、分割拡大画像１０１ａ〜１０１ｉの画像サイズ、縦置き・横置きといった用紙の向き、画像の分割数といった設定条件により予め余白の設定パターンを用意しておき不揮発メモリ３６に格納しておく。設定条件に合致した分割拡大画像１０１ａ〜１０１ｉに対して、設定パターンが選択され、余白、位置情報を付与し、余白付分割拡大画像１０２ａ〜１０２ｉが作成される。
【００６３】
作成された余白付分割拡大画像１０２ａ〜１０２ｉをそれぞれ記録媒体に出力する(ステップＳ９)。
【００６４】
拡大連写機能の設定がされなかった場合(ステップS１；Ｎｏ)、通常の複写を行う（ステップ９）。
【００６５】
余白設定がなかった場合(ステップＳ５；Ｎｏ)、各分割拡大画像１０１ａ〜１０１ｉを画像形成部４１へ送信し、印刷物の画像を形成し(ステップＳ１０)、印刷出力する(ステップＳ９)。
【００６６】
位置情報を印刷する設定がない場合(ステップＳ７；Ｎｏ)、各分割拡大画像１０１ａ〜１０１ｉを画像形成部４１へ送信し、記録媒体に分割拡大画像１０１ａ〜１０１ｉを形成し、印刷出力する(ステップＳ８)。
【００６７】
以上本第１の実施の形態によれば、画像形成装置１は、分割数に応じた各分割拡大画像１０１ａ〜１０１ｉの位置情報を余白に印字された余白付分割拡大画像１０２ａ〜１０２ｉを作成することにより、各余白付分割拡大画像１０２ａ〜１０２ｉを印刷した記録媒体を貼合せて１つの印刷物を作成する貼合せ作業が容易となり、作業効率が向上する。
【００６８】
本第１の実施の形態では、位置情報を余白に印字して各分割拡大画像１０１ａ〜１０１ｉを記憶媒体に印刷して説明したが、印刷する画像に位置情報やページ情報などの識別情報が付帯されていればよい。例えば原稿画像に位置情報合成した合成画像を作成する場合が考えられる。
【００６９】
［第２の実施の形態］
上記第１の実施の形態では、余白に分割拡大画像１０１ａ〜１０１ｉの位置情報を印字した記録媒体を印刷することにより、各分割画像を印刷した記録媒体を特定できた。
本第２の実施の形態では、最初に位置情報のみを記録媒体に印刷し、その後印刷された位置情報に対応した分割画像を指定の部数分印刷するグループ機能を用いた拡大連写機能について説明する。
画像構成装置１の構成は上記第１の実施の形態と同様なため、詳細な説明は省略する。
【００７０】
画像形成装置１の動作について説明する。
【００７１】
図６を参照して、画像形成装置における拡大連写の動作を説明する。
原稿台に原稿をセットし、印刷物を得る際、操作者が表示入力部２１上のタッチパネル内に表示される拡大連写設定メニューを選択することにより、拡大連写機能を使用するか否を選択する(ステップＳ２１)。
【００７２】
拡大連写機能が選択された場合(ステップＳ２１；ＹＥＳ)、更に印刷物の拡大率、用紙サイズを設定する(ステップＳ２２)。
【００７３】
原稿画像の大きさと、設定された印刷物の拡大率及び用紙サイズとに基づいて、拡大連写される、分割拡大画像１０１ａ〜１０１ｉの分割数が決定される（ステップS２３）。
【００７４】
以下、本第２の実施の形態では、図３を参照して、原稿画像１００と、分割拡大画像１０１ａ〜１０１ｉを印刷した印刷物との用紙サイズが等しく、拡大率を３００％と設定し、分割拡大画像１０１ａ〜１０１ｉを９分割した場合について説明する。
【００７５】
分割された分割数に基づいて、各分割拡大画像１０１ａ〜１０１ｉの位置情報が決定される(ステップＳ２４)。
【００７６】
図４を参照して、位置情報の設定について説明する。
分割拡大画像１０１ａ〜１０１ｉに対して、それぞれ行番号、列番号を付与することにより、個々の分割画像に対して、異なる位置情報の付与が可能となる。
【００７７】
ステップ２３で作成された位置情報に基づいて、原稿画像１００から分割拡大画像１０１ａ〜１０１ｉが作成される（ステップＳ２５）。
【００７８】
各分割拡大画像１０１ａ〜１０１ｉをそれぞれ複数部印刷して印刷物１０４ａ〜１０４ｉを得る場合、各分割拡大画像１０１ａ〜１０１ｉの位置情報をグループ番号として用い、グループ番号ごとに印刷するグループ設定を行うか否かを選択する（ステップＳ２６）。
【００７９】
グル−プ設定がされた場合（ステップＳ２６；ＹＥＳ）、各グループの分割画像１０１ａ〜１０１ｉと共に印刷される挿入用ページ１０３ａ〜１０３ｉのデータが作成される（ステップＳ２７）。
【００８０】
そして、操作者は、挿入用ページ１０３ａ〜１０３ｉに位置情報を付与して印刷するか否かが選択される（ステップＳ２８）。
【００８１】
挿入用ページ１０３ａ〜１０３ｉに位置情報を付与する場合（ステップＳ２８；ＹＥＳ）、各分割拡大画像１０１ａ〜１０１ｉに対応した挿入用ページ１０３ａ〜１０３ｉに位置情報を付与される（ステップＳ２９）。
【００８２】
次に、図７を参照して挿入用ページ１０３ａ〜１０３ｉ、印刷物１０４ａ〜１０４ｉの印刷動作について説明する。
挿入用ページ１０３ａ〜１０３ｉと、各分割拡大画像１０１ａ〜１０１ｉに対応した印刷物１０４ａ〜１０４ｉとがそれぞれ印刷される（ステップＳ３０）。
【００８３】
原稿画像１００を９分割した場合、まず始めにグループ番号が１−１に設定されている挿入用ページ１０３ａが印刷され、続いてこれに対応する印刷物１０４ａが指定された部数だけ印刷される。同様の動作を９番目のグループ番号である３−３に設定されている挿入用ページ１０３ｉ及び、印刷物１０４ｉまで行うことで印刷は完了する。
【００８４】
拡大連写設定が選択されなかった場合（ステップＳ２１；ＮＯ）、通常の複写を行う。
【００８５】
グループ設定がされなかった場合（ステップＳ２５；ＮＯ）、各分割拡大画像１０１ａ〜１０１ｉを順番に印刷する。
【００８６】
以上、本第２の実施の形態によれば、画像形成装置１は、各分割拡大画像１０１ａ〜１０１ｉに対応した位置情報を印刷した挿入用ページ１０３ａ〜１０３ｉ及び、印刷物１０４ａ〜１０４ｉをグループ毎に印刷することにより、他の部分の印刷物１０４ａ〜１０４ｉが混入することを防止することが可能となる。そして、各印刷物１０４ａ〜１０４ｉを貼合せて、大きな印刷物を作成する貼合せ作業の効率を向上することが可能となる。
【図面の簡単な説明】
【００８７】
【図１】画像形成装置１の内部構成の概略を示すブロック図である。
【図２】余白設定時の拡大連写機能の動作を表すフローチャートである。
【図３】原稿画像１００を分割・拡大し、分割拡大画像１０１ａ〜１０１ｉの出力状態を示す。
【図４】各分割拡大画像１０１ａ〜１０１ｉと位置情報との対応を示す。
【図５】余白設定時における印刷物１０２ａ〜１０２ｉの出力結果を示す
【図６】グループ設定時の拡大連写機能の動作を表すフローチャートである。
【図７】グループ設定時における挿入ページ１０３ａ〜１０３ｉと印刷物１０４ａ〜１０４ｉの出力結果を示す。
【符号の説明】
【００８８】
１     画像形成装置
１０   スキャナ部
１１   ＣＣＤ部
１２   スキャナ制御部
２０   操作部
２１   表示入力部
２２   入力制御部
３０   画像制御部
３１   通信制御部
３２   読取処理部
３３   圧縮ＩＣ
３４   伸張ＩＣ
３５   書込処理部
３６   不揮発メモリ
３７   画像メモリ
３７ａ 圧縮画像メモリ
３７ｂ 位置情報メモリ
３７ｃ ページメモリ
４０   プリンタ部
４１   画像形成部
４２   プリンタ制御部
５０   通信部
５１   通信制御部
５２   画像メモリ
５３   Ｉ／Ｆ
【図１】
2005223676.tif 000003
【図２】
2005223676.tif 000004
【図３】
2005223676.tif 000005
【図４】
2005223676.tif 000006
【図５】
2005223676.tif 000007
【図６】
2005223676.tif 000008
【図７】
2005223676.tif 000009